(57)【特許請求の範囲】
【請求項１】
下記一般式（１）で表されるカプラーを含有することを特徴とするハロゲン化銀カラー写真感光材料。
【化１】
0003641733.tif 000039
〔式中、Ｒ1はアルキル基を表し、Ｒ2芳香族基を表し、Ｒ3は置換基を表し、Ｒ4は芳香族基を表し、Ｒ5，Ｒ6は各々置換基を表し、ａ，ｂ，ｃは各々０〜４の整数を表す。〕
【請求項２】
下記一般式（２）で表されるカプラーを含有することを特徴とするハロゲン化銀カラー写真感光材料。
【化２】
0003641733.tif 000040
〔式中、Ｒ21，Ｒ22，Ｒ23，Ｒ24，Ｒ25，Ｒ26，ａ２，ｂ２は、各々一般式（１）のＲ1，Ｒ2，Ｒ3，Ｒ4，Ｒ5，Ｒ6，ａ，ｂと同義であり、ｃ２は１〜４を表し、−（Ｒ26）ｃ２のうち少なくとも１つは、既に置換しているカルバモイル基に対してオルト位に置換している。〕
【請求項３】
下記一般式（３）で表されるカプラーを含有することを特徴とするハロゲン化銀カラー写真感光材料。
【化３】
0003641733.tif 000041
〔式中、Ｒ31，Ｒ32，Ｒ33，Ｒ35，Ｒ36，ａ３，ｂ３は、各々一般式（１）のＲ1，Ｒ2，Ｒ3，Ｒ5，Ｒ6，ａ，ｂと同義である。Ｒ36，ｃ３は一般式（２）のＲ26，ｃ２と同義である。〕
【請求項４】
下記一般式（４）で表されるカプラーを含有することを特徴とするハロゲン化銀カラー写真感光材料。
【化４】
0003641733.tif 000042
〔式中、Ｒ41，Ｒ42，Ｒ43，Ｒ45，Ｒ46，ａ４，ｂ４は、各々一般式（１）のＲ1，Ｒ2，Ｒ3，Ｒ5，Ｒ6，ａ，ｂと同義である。ｃ４は２〜４の整数を表す。ただし、−（Ｒ46）ｃ４のうち２つが塩素原子またはアルコキシ基であり、いずれもが既に置換しているカルバモイル基に対してオルト位に置換している。〕
【請求項５】
下記一般式（５）で表されるカプラーを含有することを特徴とするハロゲン化銀カラー写真感光材料。
【化５】
0003641733.tif 000043
〔式中、Ｒ51はアルキル基を表し、Ｒ52は芳香族基を表す。〕
【請求項６】
下記一般式（６）で表されるカプラーを含有することを特徴とするハロゲン化銀カラー写真感光材料。
【化６】
0003641733.tif 000044
〔式中、Ｒ61は炭素数５〜１２のアルキル基を表し、Ｒ62は置換基を表す。〕
【発明の詳細な説明】
【０００１】
【発明の属する技術分野】
本発明はハロゲン化銀カラー写真感光材料に関し、詳しくは高感度、高発色で色再現性に優れ、かつ、発色色素の分光吸収波長の濃度依存性が小さく、その分光吸収波長が適正であるハロゲン化銀カラー写真感光材料に関する。
【０００２】
【従来の技術】
現在、ハロゲン化銀カラー写真感光材料（以下、単に感光材料ともいう。）には減色法が用いられており、イエローカプラー、マゼンタカプラー、シアンカプラーから導かれる３つの色素の組み合わせによりカラー画像が形成される。
【０００３】
従来のハロゲン化銀カラー写真感光材料に使用されるマゼンタカプラーとしては、ピラゾロン、ピラゾロトリアゾール、ピラゾリノベンゾイミダゾールまたはインダノン系カプラーが知られているが、中でも種々の５−ピラゾロン誘導体が広く使用されている。
【０００４】
上記５−ピラゾロン誘導体の５−ピラゾロン環の３位の置換基としては、例えばアルキル基、アリール基、米国特許第２，４３９，０９８号明細書に記載されているアルコキシ基、同第２，３６９，４８９号明細書、同第２，６００，７８８号明細書に記載されているアシルアミノ基、同第３，５５８，３１９号明細書に記載されているウレイド基が用いられている。しかしながら、以上のカプラーは現像主薬の酸化生成物とのカップリング活性が低く高濃度のマゼンタ色素像が得られないことや、発色現像により得られるマゼンタ色素画像の青色光領域における２次吸収が大きいこと、主吸収の長波長側の切れが悪い等の欠点があった。
【０００５】
また米国特許第２，３１１，０８１号明細書、同第３，６７７，７６４号明細書、同第３，６８４，５１４号明細書、英国特許第９５６，２６１号明細書、同第１，１７３，５１３号明細書等に記載の３−アニリノ−５−ピラゾロン系カプラーは、カップリング活性が高く高発色であり、また青色光領域における２次吸収が小さい等の利点を有しているが、これら従来知られる３−アニリノ−５−ピラゾロン系カプラーから得られる発色色素の分光吸収極大波長は比較的短波長で、カラーネガハロゲン化銀写真感光材料に用いた場合、プリントの色再現性を悪化させる。加えて、現像浴での処理終了後、漂白浴中での処理に際して、漂白浴中で発生した現像主薬酸化体とカプラーの反応によってカブリが増加する、いわゆる漂白カブリの問題があった。
【０００６】
発色色素の分光吸収極大波長が短波長であるという欠点を改良する目的で種々の検討がなされ、特開昭５２−８００２７号には１−ペンタハロゲノフェニル−３−アニリノ−５−ピラゾロン系カプラーが提案されている。該カプラーから誘導される発色色素は分光吸収極大波長がカラーネガ用マゼンタカプラーとして好ましく、この点で従来のカプラーよりも優れていた。しかしながら、これらのカプラーは発色性が尚不充分である、発色色素の分光吸収極大波長が濃度依存性（いわゆる二色性）を持つ、という欠点を有していた。
【０００７】
また、ドイツ特許１９，５２５，６６６号明細書には４−（２−Ｎ−アルキルスルホンアミド）フェニルチオ−５−ピラゾロン類が開示されているが、これらの化合物から得られる画像色素は濃度によって分光吸収波長が変動するいわゆる二色性があるか、発色色素の分光吸収極大波長が短波長であり、従来のカラーネガ用カプラーのそれと適合しないために色再現性を劣化させたり、若しくは低感度、低発色性であるといった欠点を有しており、満足できるものではなかった。
【０００８】
本発明の特徴は３−アニリノ−４−アリールチオ−５−ピラゾロンカプラーにおいて、特定のバラスト（３−アニリノ部の置換基）部分（以後、バラストと呼ぶ）と特定の置換基を有する４−アリールチオ基（以後、活性点置換基と呼ぶ）部分を併せ持つことにある。本発明のバラストは特開平８−１７１１８６号および特願平７−８２６２６号明細書に記載されているが、該明細書には本発明の活性点置換基については全く記載がなく、これらの記載から本発明の活性点置換基を着想することは困難である。尚、該特許記載のカプラーは漂白カブリが大きいという欠点を有しており、本発明のカプラーの著しい優位性は明らかである。
【０００９】
また、ドイツ特許１９，５２５，６６６号明細書には本発明のカプラーに近い構造のバラストを有するカプラー（例示化合物Ｍ−４＝本発明の比較化合物Ｍ−９）が開示されているが、写真性能は示されておらず、本発明者らが追試したところ、発色性が低い、二色性が大きい等の欠点を有していた。該明細書では例示化合物Ｍ−４でのみ本発明のバラストに近い構造のバラストが用いられているのみで、バラストについての一般的な記載や、その他の記載から本発明のバラストを用いる技術思想を読み取ることは出来ない。本発明のバラストを用いることによる優位性には全く触れられていない。前記ドイツ特許の明細書には示唆されていない技術思想に基づく本発明のカプラーが、前記ドイツ特許の明細書記載のカプラーよりも驚くべき高性能を有していることが本発明明細書の実施例の記載から明らかになろう。
【００１０】
【発明が解決しようとする課題】
本発明の第１の目的は、高感度、高発色で色再現性に優れ、かつ、発色色素の分光吸収極大波長の濃度依存性が小さく、その分光吸収波長が適正であるハロゲン化銀カラー写真感光材料を提供することにある。
【００１１】
本発明の第２の目的は、漂白カブリが少なく、薄膜化され、鮮鋭性に優れたハロゲン化銀カラー写真感光材料を提供することにある。
【００１２】
【課題を解決するための手段】
本発明の上記目的は、下記構成により達成される。
【００１３】
１．下記一般式（１）で表されるカプラーを含有することを特徴とするハロゲン化銀カラー写真感光材料。
【００１４】
【化７】
0003641733.tif 000002
【００１５】
〔式中、Ｒ1はアルキル基を表し、Ｒ2芳香族基を表し、Ｒ3は置換基を表し、Ｒ4は芳香族基を表し、Ｒ5，Ｒ6は各々置換基を表し、ａ，ｂ，ｃは各々０〜４の整数を表す。〕
２．下記一般式（２）で表されるカプラーを含有することを特徴とするハロゲン化銀カラー写真感光材料。
【００１６】
【化８】
0003641733.tif 000003
【００１７】
〔式中、Ｒ21，Ｒ22，Ｒ23，Ｒ24，Ｒ25，Ｒ26，ａ２，ｂ２は、各々一般式（１）のＲ1，Ｒ2，Ｒ3，Ｒ4，Ｒ5，Ｒ6，ａ，ｂと同義であり、ｃ２は１〜４を表し、−（Ｒ26）ｃ２のうち少なくとも１つは、既に置換しているカルバモイル基に対してオルト位に置換している。〕
３．下記一般式（３）で表されるカプラーを含有することを特徴とするハロゲン化銀カラー写真感光材料。
【００１８】
【化９】
0003641733.tif 000004
【００１９】
〔式中、Ｒ31，Ｒ32，Ｒ33，Ｒ35，Ｒ36，ａ３，ｂ３は、各々一般式（１）のＲ1，Ｒ2，Ｒ3，Ｒ5，Ｒ6，ａ，ｂと同義である。Ｒ36，ｃ３は一般式（２）のＲ26，ｃ２と同義である。〕
４．下記一般式（４）で表されるカプラーを含有することを特徴とするハロゲン化銀カラー写真感光材料。
【００２０】
【化１０】
0003641733.tif 000005
【００２１】
〔式中、Ｒ41，Ｒ42，Ｒ43，Ｒ45，Ｒ46，ａ４，ｂ４は、各々一般式（１）のＲ1，Ｒ2，Ｒ3，Ｒ5，Ｒ6，ａ，ｂと同義である。ｃ４は２〜４の整数を表す。ただし、−（Ｒ46）ｃ４のうち２つが塩素原子またはアルコキシ基であり、いずれもが既に置換しているカルバモイル基に対してオルト位に置換している。〕
５．下記一般式（５）で表されるカプラーを含有することを特徴とするハロゲン化銀カラー写真感光材料。
【００２２】
【化１１】
0003641733.tif 000006
【００２３】
〔式中、Ｒ51はアルキル基を表し、Ｒ52は芳香族基を表す。〕
６．下記一般式（６）で表されるカプラーを含有することを特徴とするハロゲン化銀カラー写真感光材料。
【００２４】
【化１２】
0003641733.tif 000007
【００２５】
〔式中、Ｒ61は炭素数５〜１２のアルキル基を表し、Ｒ62は芳香族基を表す。〕
以下、本発明を具体的に説明する。
【００２６】
本発明の前記一般式（１）〜（６）で表されるカプラー（以下、本発明のカプラーともいう）について説明する。
【００２７】
本発明のカプラーにおいて、Ｒ1，Ｒ21，Ｒ31，Ｒ41，Ｒ51はアルキル基を表し、具体的には、メチル、エチル、ｎ−プロピル、ｉ−プロピル、ｎ−ブチル、ｔ−ブチル、ｎ−ヘキシル、ｎ−ヘプチル、ｎ−オクチル、ｎ−デシル、ｎ−ドデシル、２−エチルヘキシル等の各基を挙げることができる。
【００２８】
Ｒ61は炭素数５以上１２以下のアルキル基を表し、具体的には、ｎ−ヘキシル、２−エチルヘシキル、ｎ−オクチル、ｎ−デシル基等の各基を挙げることができる。
【００２９】
Ｒ1，Ｒ21，Ｒ31，Ｒ41，Ｒ51はカプラーの溶解度および発色性の点で炭素数５以上１２以下のアルキル基であることが好ましく、ｎ−オクチル基であることが最も好ましい。Ｒ61も同様の理由でｎ−オクチル基であることが最も好ましい。
【００３０】
本発明のカプラーにおいて、Ｒ2，Ｒ22，Ｒ32，Ｒ42，Ｒ52は芳香族基を表す。具体例として４−メチルフェニル基、４−クロロフェニル基、フェニル基、４−ドデシルオキシフェニル基、１−ナフチル基等の基を挙げることができる。
【００３１】
Ｒ2，Ｒ22，Ｒ32，Ｒ42，Ｒ52はカプラーの溶解度、発色性の点で４−アルキルフェニル基であることが好ましく、４−メチルフェニル基であることが最も好ましい。
【００３２】
Ｒ62は置換基を表し、その具体例としてはＲ5と同様の基を挙げることができる。Ｒ62はカプラーの溶解度、発色性の点でアルキル基であることが好ましく、メチル基であることが最も好ましい。
【００３３】
本発明のカプラーにおいて、Ｒ3，Ｒ23，Ｒ33，Ｒ43は置換基を表し、その具体例としては、例えば、ハロゲン原子（例えば、フッ素、塩素、臭素原子）、アルキル基（例えば、メチル、エチル、ｎ−ブチル、ｔ−ブチル、ｔ−オクチル、ドデシル、２−エチルヘキシル、２−ドデシルオキシエチル、３−（２，４−ジ−ｔｅｒｔ−アルミフェノキシ）プロピル、２，２−ジメチル−２−（３−ペンタデシルフェノキシ）エチル基）、アリール基（例えば、フェニル、α−またはβ−ナフチル、２，４−ジクロロフェニル、２−メトキシフェニル、４−ドデシルオキシフェニル、２−クロロ−５−テトラデカンフェニル基）、アルコキシ基（例えば、メトキシ、エトキシ、２−ドデシルオキシエトキシ、３−フェノキシプロポキシ、２−エトキシエトキシ、オクチルオキシ、２−エチルヘキシルオキシ、２−（２，４−ジ−ｔｅｒｔ−ペンチルフェノキシ）エトキシ基等）、アリールオキシ基（例えば、フェノキシ、α−またはβ−ナフトキシ、４−ｔｅｒｔ−ブチルフェノキシ基）、アルキルチオ基（例えば、メチルチオ、ブチルチオ、オクチルチオ、α−ドデシルオキシカルボニルプロピルチオ、３−フェノキシプロピルチオ、２−ブトキシカルボニルエチル基）、アリールチオ基（例えば、フェニルチオ、４−ｔｅｒｔ−ブチルフェニルチオ、２−ブトキシ−５−ｔｅｒｔ−オクチルフェニルチオ、４−ドデシルオキシフェニルチオ基）、アルキルスルホニル基（例えば、メタンスルホニル、エタンスルホニル、オクタンスルホニル、ドデカンスルホニル基等）、アリールスルホニル基（例えば、ベンゼンスルホニル、トルエンスルホニル、４−ヒドロキシフェニルスルホニル、２−ブトキシ−５−ｔｅｒｔ−オクチルフェニルスルホニル基）、アシルアミノ基（例えば、アセトアミド、２−エチルヘキサノイルアミド、ヘキサデカンアミド、α−（２，４−ジ−ｔｅｒｔ−ペンチルフェノキシ）アセトアミド、ベンズアミド、３−（２−エチルヘキサンアミド）ベンズアミド、２−ピリジンカルボンアミド、２−クロロ−４−ｔ−ヘキシルベンズアミド基）、アルコキシカルボニルアミノ基（例えば、エトキシカルボニルアミノ基、ｔ−ブトキシカルボニルアミノ基、２−メチルプロピルオキシカルボニルアミノ基）、スルホンアミド基（例えば、メタンスルホンアミド、ブタンスルホンアミド、ベンゼンスルホンアミド、２−ブトキシ−５−ｔｅｒｔ−オクチルベンゼンスルホンアミド、４−ドデシルオキシベンゼンスルホンアミド基）、スルファモイル基（例えば、Ｎ−メチルスルファモイル、Ｎ，Ｎ−ジエチルスルファモイル、Ｎ−ｔｅｒｔ−ブチルスルファモイル、３−（２，４−ジ−ｔｅｒｔ−ペンチルフェノキシ）プロピルスルファモイル基）、ウレイド基（例えば、フェニルウレイド、４−シアノフェニルウレイド、テトラデシルウレイド、４−エタンスルホニルフェニルウレイド基）、アルコキシカルボニル基（例えば、エトキシカルボニル、ドデシルカルボニル、ベンジルオキシカルボニル、２−メチルプロピルオキシカルボニル基）、アリールオキシカルボニル（例えば、フェノキシカルボニル、２，４−ジ−ｔｅｒｔ−ブチル−フェノキシカルボニル基）、アシル基（例えば、アセチル、ベンゾイル、ドデカ��イル、α−（２，４−ジ−ｔｅｒｔ−ペンチルフェノキシ）アセチル基）、カルボキシル基、シアノ基、トリフルオロメチル基、アミノ基、Ｎ−アリールアミノ基（例えば、アニリノ、２，４−ジクロロアニリノ、４−メトキシアニリノ、２−クロロ−５−テトラデカンアニリノ、３−アセトアミドアニリノ、４−ｔｅｒｔ−オクチルアニリノ、α−またはβ−ナフチルアミノ基）、Ｎ，Ｎ−ジアルキルアミノ基（例えば、Ｎ，Ｎ−ジエチルアミノ、Ｎ−エチル−Ｎ−ドデシルアミノ、Ｎ，Ｎ−ビス（２−ドデシルオキシエチル）アミノ基）、ジアシルアミノ基（例えば、Ｎ，Ｎ−ジアセチルアミノ、Ｎ−アセチル−Ｎ−ベンズアミド基）、イミド基（例えば、スクシンイミド、フタルイミド、ダルタルイミド、１−ベンジル−５，５−ジメチル−３−ヒンダントイニル、５，５−ジメチル−２，４−ジオキソ−３−オキサゾリジニル基）、またはカルバモイル基（例えば、Ｎ−エチルカルバモイル、Ｎ−〔３−（２，４−ジ−ｔｅｒｔ−ペンチルフェノキシ）プロピル〕カルバモイル、Ｎ−エチル−Ｎ−ドデシルカルバモイル、Ｎ−ｔｅｒｔ−オクチルカルバモイル基）等を挙げることができる。
【００３４】
本発明のカプラーにおいてＲ4，Ｒ24は芳香族基を表し、具体的にはフェニル基、ペンタクロロフェニル基、２，４，６−トリクロロフェニル基、２，５−ジクロロフェニル基、２，３−ジクロロフェニル基、２，６−ジクロロ−４−メタンスルホニルフェニル基等の基を挙げることができる。発色色素の分光吸収極大波長が適正な点でＲ4，Ｒ24はペンタクロロフェニル基であることが好ましい。
【００３５】
本発明のカプラーにおいてＲ5，Ｒ25，Ｒ35，Ｒ45は置換基を表し、具体的には、前記Ｒ3が表す置換基を挙げることができる。
【００３６】
本発明のカプラーにおいてＲ6，Ｒ26，Ｒ36，Ｒ46は置換基を表し、具体的にはＲ5と同様の基を挙げることができる。
【００３７】
Ｒ6，Ｒ26，Ｒ36，Ｒ46は、二色性が少なく、発色性が良い点で既に置換しているカルバモイル基に対してオルト位に置換基を有することが好ましく、両方のオルト位に置換基を有することがより好ましく、置換基の種類は、塩素原子またはアルコキシ基であることが好ましく、塩素原子またはメトキシ基であることがより好ましく、塩素原子であることが最も好ましい。
【００３８】
本発明のカプラーにおいて、ａ，ａ２，ａ３，ａ４は０〜４の整数を表し、０であることが好ましい。ｂ，ｂ２，ｂ３，ｂ４は０〜４の整数を表し、１であることが好ましい。ｃ，ｃ２，ｃ３，ｃ４は０〜４の整数を表し、２であることが好ましい。
【００３９】
次に、本発明のカプラーの代表的具体例を示すが、本発明はこれらに限定されない。
【００４０】
【化１３】
0003641733.tif 000008
【００４１】
【化１４】
0003641733.tif 000009
【００４２】
【化１５】
0003641733.tif 000010
【００４３】
【化１６】
0003641733.tif 000011
【００４４】
次に、本発明のカプラーの具体的合成例を記載するが、一般的な合成法、例えば米国特許第２，３６９，４８９号、同第２，３７６，３８０号、同第２，４７２，５８１号、同第２，６００，７８８号、同第２，９３３，３９１号、同第３，６１５，５０６号、英国特許第９５６，２６１号、同第１，１３４，３２９号、ドイツ特許第１９，５２５，６６６号、特公昭４５−２０６３６号、特開平２−３９１４８号、同２−２７３４３号、同８−１７１１８６号等に記載の合成法を参考にして合成することができる。
【００４５】
本発明のカプラーの具体的な合成例を以下に示す。
【００４６】
合成例１
例示化合物３の合成
【００４７】
【化１７】
0003641733.tif 000012
【００４８】
２，６−ジクロル安息香酸１９．１０ｇに塩化チオニル６０ｍｌを加え６０〜６５℃に１．５時間加熱する。減圧下塩化チオニルを留去し、淡黄色オイル（化合物２）を得る。
【００４９】
化合物１の３５．４７ｇに酢酸エチル１５０ｍｌ、水７５ｍｌ、無水酢酸ナトリウム１２．３０ｇを加え、室温でかき混ぜながら化合物２を全量加える。４時間かき混ぜた後析出物を濾取し、水１００ｍｌ、メタノール５０ｍｌ、酢酸エチル５０ｍｌで順次洗浄し、乾燥する。化合物３の淡褐色粉末３２．７ｇ（６７％）を得る。
【００５０】
化合物３の構造はＮＭＲスペクトル、マススペクトルで確認した。融点３００℃以上であった。
【００５１】
【化１８】
0003641733.tif 000013
【００５２】
化合物４  ９．３７ｇを２５℃で６０ｍｌの酢酸エチルに溶解し、塩化スルフリル１．５５ｇを加える。３分間かき混ぜた後、化合物３  １２．９２ｇとジメチルホルムアミド１０ｍｌを加え、５０℃で２時間加熱する。反応液に５０ｍｌの酢酸エチルを加え、水洗、乾燥した後溶媒を除く。これを１００ｍｌのメタノールから再結晶して淡黄色粉末１８．３ｇ（収率８８％）を得た。
【００５３】
例示化合物３の構造はマススペクトル、ＮＭＲスペクトルによって確認した。ＨＰＬＣによって求めた純度は９８．８％であった。融点１４５℃
上記と同様にして合成した例示化合物の物性値を以下に示す。
【００５４】
0003641733.tif 000014
本発明のカプラーは、通常ハロゲン化銀１モル当り１×１０-3ｍｏｌ〜８×１０-1ｍｏｌ、好ましくは１×１０-2ｍｏｌ〜８×１０-1ｍｏｌの範囲で用いることができる。
【００５５】
本発明のカプラーは他の種類のマゼンタカプラーと併用することができる。
【００５６】
本発明のカプラーを含有せしめるためには、従来の方法、例えば公知のジブチルフタレート、トリクレジルホスフェート等の如き高沸点溶媒と酢酸ブチル、酢酸エチル等の如き低沸点溶媒の混合液あるいは低沸点溶媒のみの溶媒に本発明のカプラーをそれぞれ単独で、あるいは併用して溶解せしめた後、界面活性剤を含むゼラチン水溶液と混合し、次いで高速度回転ミキサーまたはコロイドミルもしくは超音波分散機を用いて乳化分散させた後、乳剤中に直接添加する方法を採用することができる。又、上記乳化分散液をセットした後、細断し、水洗した後、これを乳剤に添加してもよい。
【００５７】
本発明のカプラーは、高沸点溶媒と前記分散法によりそれぞれ別々に分散させてハロゲン化銀乳剤に添加してもよいが、両化合物を同時に溶解せしめ、分散し、乳剤に添加する方法が好ましい。
【００５８】
前記高沸点溶媒の添加量は、本発明のカプラー１ｇに対して好ましくは０．０１〜１０ｇ、さらに好ましくは０．１〜３．０ｇの範囲である。また、高沸点溶媒を用いずに、低沸点溶媒のみに溶解し、分散し、乳剤に添加してもよい。
【００５９】
本発明の感光材料に用いるハロゲン化銀乳剤としては、通常のハロゲン化銀乳剤の任意のものを用いることができる。該乳剤は、常法により化学増感することができ、増感色素を用いて、所望の波長域に光学的に増感できる。
【００６０】
ハロゲン化銀乳剤には、カブリ防止剤、安定剤等を加えることができる。該乳剤のバインダーとしては、ゼラチンを用いるのが有利である。
【００６１】
乳剤層、その他の親水性コロイド層は、硬膜することができ、又、可塑剤、水不溶性又は難溶性合成ポリマーの分散物（ラテックス）を含有させることができる。カラー写真感光材料の乳剤層にはカプラーが用いられる。
【００６２】
更に色補正の効果を有しているカラードカプラー、競合カプラー及び現像主薬の酸化体とのカップリング反応により現像促進剤、漂白促進剤、現像剤、ハロゲン化銀溶剤、調色剤、硬膜剤、カブリ剤、カブリ防止剤、化学増感剤、分光増感剤及び減感剤のような写真的に有用なフラグメントを放出する化合物を用いることができる。
【００６３】
支持体としては、ポリエチレン等をラミネートした紙、ポリエチレンテレフタレートフィルム、バライタ紙、三酢酸セルロース等をもちいることができる。
【００６４】
本発明の感光材料を用いて色素画像を得るには露光後、通常知られているカラー写真処理を行うことができる。
【００６５】
【実施例】
以下、本発明の具体的実施例を述べるが、本発明の実施の態様はこれらに限定されない。
【００６６】
実施例１
以下において、ハロゲン化銀写真感光材料中の添加量は特に記載のない限り１ｍ2当りのグラム数を示す。なお、ハロゲン化銀及びコロイド銀は銀に換算して示し、増感色素は銀１モル当りのモル数で示した。
【００６７】
トリアセチルセルロースフィルム支持体の片面（表面）に下引加工を施し、次いで、支持体をはさんで、当該下引加工を施した面と反対側の面（裏面）に、下記組成の層を支持体側から順次塗布して下引き加工した支持体を作成した。尚、添加量は１ｍ2当りのものを示す。
【００６８】
0003641733.tif 000015
下引き加工したトリアセチルセルロースフィルム支持体の表面上に、下記に示す組成の各層を順次支持体側から形成して多層カラー写真感光材料１を作成した。
【００６９】
0003641733.tif 000016
0003641733.tif 000017
0003641733.tif 000018
0003641733.tif 000019
尚、上述の試料１は、さらに、分散助剤ＳＵ−１、塗布助剤ＳＵ−２、硬膜剤Ｈ−１、安定剤ＳＴ−１、防腐剤ＤＩ−１、カブリ防止剤ＡＦ−１及びＡＦ−２、染料ＡＩ−１、ＡＩ−２を含有する。
【００７０】
【化１９】
0003641733.tif 000020
【００７１】
【化２０】
0003641733.tif 000021
【００７２】
【化２１】
0003641733.tif 000022
【００７３】
【化２２】
0003641733.tif 000023
【００７４】
【化２３】
0003641733.tif 000024
【００７５】
【化２４】
0003641733.tif 000025
【００７６】
【化２５】
0003641733.tif 000026
【００７７】
【化２６】
0003641733.tif 000027
【００７８】
次に、上記試料１において、第６層及び第７層のハロゲン化銀乳剤層に添加するマゼンタカプラーを後記表２に示す如く変化させて試料２〜１４を作成した。
【００７９】
なお試料２〜１４に添加するマゼンタカプラーの添加量は試料１に用いたマゼンタカプラーと等モルである。
【００８０】
【化２７】
0003641733.tif 000028
【００８１】
【化２８】
0003641733.tif 000029
【００８２】
このようにして作成した各試料１〜１４をセンシトメトリー用ステップウェッジを介して緑色光で露光を行い、下記の条件で処理した。
【００８３】
処理工程
【００８４】
【表１】
0003641733.tif 000030
【００８５】
発色現像液、漂白液、定着液、安定化液及びその補充液は以下のものを使用した。
【００８６】
発色現像液
0003641733.tif 000031
水を加えて１リットルとし、水酸化カリウム又は２０％硫酸を用いてｐＨ１０．０６に調整する。
【００８７】
発色現像補充液
0003641733.tif 000032
水を加えて１リットルとし、水酸化カリウム又は２０％硫酸を用いてｐＨ１０．１８に調整する。
【００８８】
漂白液
0003641733.tif 000033
水を加えて１リットルとし、アンモニア水又は氷酢酸を用いてｐＨ４．４に調整する。
【００８９】
漂白補充液
0003641733.tif 000034
アンモニア水又は氷酢酸を用いてｐＨ４．０に調整後水を加えて１リットルとする。
【００９０】
定着液
0003641733.tif 000035
氷酢酸又はアンモニア水を用いてｐＨ６．２に調整後水を加えて１リットルとする。
【００９１】
定着補充液
0003641733.tif 000036
氷酢酸又はアンモニア水を用いてｐＨ６．５に調整後水を加えて１リットルとする。
【００９２】
安定化液及び安定化補充液
0003641733.tif 000037
水を加えて１リットルとした後、アンモニア水又は５０％硫酸を用いてｐＨ８．５に調整する。
【００９３】
処理後、上記各試料について緑色光測定のセンシトメトリー特性を測定した。
【００９４】
《感度》
感度はカブリ＋０．３の濃度を与えるのに必要な露光量の逆数から求め、試料１の感度を１００とする相対感度で次の表２に示す。
【００９５】
《発色性》
発色性は試料１の最大濃度を１００とする相対値で表２に示す。
【００９６】
《漂白カブリ》
漂白カブリは、前記漂白液を水で２倍に希釈し、ｐＨを４．０に調整したモデル疲労漂白液を用いて処理した試料の最小濃度（Ｄｍｉｎ）と前記漂白液を用いて処理した試料の最小濃度（Ｄｍｉｎ）の差から求めた。
【００９７】
《発色色素の分光吸収》
発色色素の分光吸収は、各試料を用いてマクベスチャートを撮影し、前記の現像処理を施し、コニカ（株）製自動現像機を用いてコニカ（株）製カラーペーパーＱＡ−Ａ６に露光後現像し、仕上がったプリントをマクベスチャートの色と比較した。比較は１０人の主観評価によって行い、プリントとマクベスチャートの色を比較し、色再現性が良いと答えた人数が１０人の場合を○、８名以上９名以下を△、７名以下を×として表２に示した。
【００９８】
《二色性（Δλｍａｘ）》
最大濃度における分光吸収極大波長と濃度約１．０における分光吸収極大波長との差を下式から求めて二色性（Δλｍａｘ）とした。
【００９９】
Δλｍａｘ＝λｍａｘ（Dmax）−λｍａｘ（D1.0）
結果を表２に示す。
【０１００】
【表２】
0003641733.tif 000038
【０１０１】
表２から明らかなように比較カプラーを用いた試料１〜７は、感度が低く、最大濃度が小さく、漂白カブリが大きく、分光吸収極大波長が不適切で、濃度変化による分光吸収極大波長の動きも大きい。ドイツ特許１９，５２５，６６６号の化合物Ｍ−４と、最も良い性能を示した化合物Ｍ−６との構造を組み合わせた比較化合物Ｍ−ｆは、本発明のカプラーに比べて感度、発色性、発色色素の分光吸収、二色性のいずれの点でも著しく劣っており、本発明のカプラーの優位性は明らかである。これに対して本発明のカプラーを用いた試料８〜１４は高感度で最大濃度が大きく、漂白カブリが小さく、好ましい分光吸収極大波長を有し、濃度変化による分光吸収極大波長の動きも小さいことがわかる。また、本発明のカプラーは表２からわかるように最大濃度が大きいので使用量が減少できて薄膜化が可能であり、これによって鮮鋭性が向上した。
【０１０２】
【発明の効果】
本発明により、第１には、高感度、高発色で色再現性に優れ、かつ、発色色素の分光吸収極大波長の濃度依存性が小さく、その分光吸収極大波長が適正であるハロゲン化銀カラー写真感光材料を提供すること、第２には、漂白カブリが少なく、薄膜化され、鮮鋭性に優れたハロゲン化銀カラー写真感光材料を提供することができた。